(57)【要約】【課題】電波が届き難い環境でも、送信機が発信した映像音声をテレビ受信機により良好に再生するための技術を提供する。【解決手段】システム（100A）は、第１のアンテナ（102）を具備する送信機（101A）と、送信機に接続された第２のアンテナ（100B）とを備える。送信機は、受信強度を検知する受信回路（103）と、映像音声信号を送信チャンネルに対応したテレビ放送電波に変換して出力するＡＶ送信回路（110）と、最小の受信強度のチャンネルを送信チャンネルに割り当てる制御回路（106）と、各アンテナと各回路とを制御回路の判定に従い接続するスイッチ群（107,108,111）とを有する。制御回路は、最大の受信強度が、閾値を下回るときＡＶ送信回路の出力を一方のアンテナから送信すると判定し、閾値を上回るときＡＶ送信回路の出力を他方のアンテナから送信すると判定する。【選択図】図１
2008259106.tif 000002
【特許請求の範囲】
【請求項１】
ＶＨＦ通信用の第１のアンテナを具備する送信機と、前記送信機に接続されたＶＨＦ通信用の第２のアンテナと、ＶＨＦ通信を行うテレビ受信機とを備え、
前記送信機は、前記第１又は第２のアンテナが受信した電波の電界強度をチャンネル単位で検知する受信回路と、外部機器から入力された映像信号および音声信号を送信チャンネルに対応したテレビ放送電波に変換して出力するＡＶ送信回路と、前記受信回路が検知した電界強度の中から最大値および最小値を検出し該最小値のチャンネルを前記送信チャンネルに割り当てる制御回路と、前記各アンテナと前記受信回路およびＡＶ送信回路との接続を前記制御回路の判定に従い切り換えるスイッチ群とを有し、
前記制御回路は、前記最大値が閾値を下回るとき前記ＡＶ送信回路の出力を前記両アンテナのうちの一方から送信すると判定し、前記最大値が前記閾値を上回るとき前記ＡＶ送信回路の出力を前記両アンテナのうちの他方から送信すると判定することを特徴とする映像音声送信システム。
【請求項２】
前記制御回路は、前記ＡＶ送信回路の出力が前記第１のアンテナから送信される間に前記第２のアンテナを前記受信回路に接続すると判定し、前記送信チャンネルの電波を除く前記第２のアンテナの受信電波について前記受信回路が検知した電界強度の中から最大値を検出し、前記最大値が前記閾値を上回るとき前記ＡＶ送信回路の出力先を前記第１のアンテナから第２のアンテナに変更すると判定することを特徴とする請求項１記載の映像音声送信システム。
【請求項３】
前記送信機は、さらに、テレビ放送電波の複数のチャンネルに対応する音声信号を出力するＦＭ送信回路を有し、
前記制御回路は、前記ＦＭ送信回路が前記音声信号を出力するとき、前記ＦＭ送信回路の出力を前記第１のアンテナから送信すると判定し且つ前記第２のアンテナを前記受信回路に接続すると判定し、前記第２のアンテナの受信電波を用いて前記送信チャンネルの割り当てを決定することを特徴とする請求項１又は２記載の映像音声送信システム。
【請求項４】
前記送信機は、さらに、自機に前記第２のアンテナが接続されているか否かを判別するアンテナ検出回路を有し、
前記制御回路は、自機に前記第２のアンテナが接続されておらず且つ前記最大値が前記閾値を上回るとき、前記ＡＶ送信回路の出力を前記第１のアンテナから送信すると判定することを特徴とする請求項１乃至３のいずれか１項に記載の映像音声送信システム。
【請求項５】
前記送信機は、さらに、前記ＡＶ送信回路の出力を前記制御回路が設定する増幅率で増幅する増幅器を有し、
前記制御回路は、前記最大値が前記閾値を上回るとき、前記最大値が前記閾値を下回るときの増幅率より高い増幅率を設定することを特徴とする請求項１乃至４のいずれか１項に記載の映像音声送信システム。
【請求項６】
前記送信機は、さらに、前記ＡＶ送信回路の出力を前記制御回路が設定する増幅率で増幅する増幅器を有し、
前記制御回路は、前記ＡＶ送信回路の出力を前記第２のアンテナから送信するとき、前記第１のアンテナから前記ＡＶ送信回路の出力を送信するときの増幅率より高い増幅率を設定することを特徴とする請求項１乃至３のいずれか１項に記載の映像音声送信システム。
【請求項７】
前記第２のアンテナは、前記第１のアンテナよりも、前記テレビ受信機の近傍に配置されていることを特徴とする請求項１乃至６のいずれか１項に記載の映像音声送信システム。
【請求項８】
ＶＨＦ通信用の第１のアンテナおよび第２のアンテナと、前記第１又は第２のアンテナが受信した電波の電界強度をチャンネル単位で検知する受信回路と、外部機器から入力された映像信号および音声信号を送信チャンネルに対応したテレビ放送電波に変換して出力するＡＶ送信回路と、前記受信回路が検知した電界強度の中から最大値および最小値を検出し該最小値のチャンネルを前記送信チャンネルに割り当てる制御回路と、前記各アンテナと前記受信回路およびＡＶ送信回路との接続を前記制御回路の判定に従い切り換えるスイッチ群とを備え、
前記制御回路は、前記最大値が閾値を下回るとき前記ＡＶ送信回路の出力を前記両アンテナのうちの一方から送信すると判定し、前記最大値が前記閾値を上回るとき前記ＡＶ送信回路の出力を前記両アンテナのうちの他方から送信すると判定することを特徴とする送信機。
【請求項９】
前記制御回路は、前記ＡＶ送信回路の出力が前記第１のアンテナから送信される間に前記第２のアンテナを前記受信回路に接続すると判定し、前記送信チャンネルの電波を除く前記第２のアンテナの受信電波について前記受信回路が検知した電界強度の中から最大値を検出し、前記最大値が前記閾値を上回るとき前記ＡＶ送信回路の出力先を前記第１のアンテナから第２のアンテナに変更すると判定することを特徴とする請求項８記載の送信機。
【請求項１０】
さらに、テレビ放送電波の複数のチャンネルに対応する音声信号を出力するＦＭ送信回路を備え、
前記制御回路は、前記ＦＭ送信回路が前記音声信号を出力するとき、前記ＦＭ送信回路の出力を前記第１のアンテナから送信すると判定し且つ前記第２のアンテナを前記受信回路に接続すると判定し、前記第２のアンテナの受信電波を用いて前記送信チャンネルの割り当てを決定することを特徴とする請求項８又は９記載の送信機。
【請求項１１】
さらに、前記第２のアンテナを着脱可能に接続するためのコネクタを備えることを特徴とする請求項８乃至１０のいずれか１項に記載の送信機。
【請求項１２】
さらに、自機に前記第２のアンテナが接続されているか否かを判別するアンテナ検出回路を備え、
前記制御回路は、自機に前記第２のアンテナが接続されておらず且つ前記最大値が前記閾値を上回るとき、前記ＡＶ送信回路の出力を前記第１のアンテナから送信すると判定することを特徴とする請求項８乃至１１のいずれか１項に記載の送信機。
【請求項１３】
さらに、前記ＡＶ送信回路の出力を前記制御回路が設定する増幅率で増幅する増幅器を有し、
前記制御回路は、前記最大値が前記閾値を上回るとき、前記最大値が前記閾値を下回るときの増幅率より高い増幅率を設定することを特徴とする請求項８乃至１２のいずれか１項に記載の送信機。
【請求項１４】
さらに、前記ＡＶ送信回路の出力を前記制御回路が設定する増幅率で増幅する増幅器を有し、
前記制御回路は、前記ＡＶ送信回路の出力を前記第２のアンテナから送信するとき、前記第１のアンテナから前記ＡＶ送信回路の出力を送信するときの増幅率より高い増幅率を設定することを特徴とする請求項８乃至１０のいずれか１項に記載の送信機。
【請求項１５】
前記第１のアンテナが筐体内に収納されていることを特徴とする請求項８乃至１４のいずれか１項に記載の送信機。
【請求項１６】
コンピュータを請求項８乃至１５のいずれか１項に記載の送信機における制御回路として機能させることを特徴とするプログラム。
【請求項１７】
ＶＨＦ通信用の第１のアンテナ又は第２のアンテナが受信した電波の電界強度をチャンネル単位で検知し、
チャンネル単位で検知した電界強度の中から最大値および最小値を検出し該最小値のチャンネルを送信チャンネルとして認識し、
外部機器から入力された映像信号および音声信号を前記送信チャンネルに対応したテレビ放送電波に変換し、
前記最大値が閾値を下回るとき前記両アンテナのうちの一方により前記テレビ放送電波を送信し、
前記最大値が前記閾値を上回るとき前記両アンテナのうちの他方により前記テレビ放送電波を送信することを特徴とする映像音声送信方法。
【請求項１８】
さらに、前記テレビ放送電波を前記第１のアンテナから送信する間に前記第２のアンテナにより電波を受信し、前記第１のアンテナからのテレビ放送電波を除く前記第２のアンテナの受信電波について検知した電界強度の中から最大値を検出し、前記最大値が前記閾値を上回るとき前記テレビ放送電波を送信すべきアンテナを前記第１のアンテナから第２のアンテナに変更することを特徴とする請求項１７記載の映像音声送信方法。
【請求項１９】
さらに、テレビ放送電波の複数のチャンネルに対応する音声信号を前記第１のアンテナから送信し、前記音声信号を送信する間に前記第２のアンテナにより電波を受信し、前記第２のアンテナの受信電波を用いて前記送信チャンネルを認識することを特徴とする請求項１７又は１８記載の映像音声送信方法。
【請求項２０】
さらに、前記第２のアンテナを使用可能か否かを判別し、前記第２のアンテナが使用不可であり且つ前記最大値が前記閾値を上回るとき、前記テレビ放送電波を前記第１のアンテナから送信することを特徴とする請求項１７乃至１９のいずれか１項に記載の映像音声送信方法。
【請求項２１】
前記最大値が前記閾値を上回るとき、前記最大値が前記閾値を下回るときの増幅率より高い増幅率により前記テレビ放送電波を増幅して送信することを特徴とする請求項１７乃至２０のいずれか１項に記載の映像音声送信方法。
【請求項２２】
前記第２のアンテナからテレビ放送電波を送信するとき、前記第１のアンテナからテレビ放送電波を送信するときの増幅率より高い増幅率により前記テレビ放送電波を増幅して送信することを特徴とする請求項１７乃至１９のいずれか１項に記載の映像音声送信方法。
【発明の詳細な説明】
【技術分野】
【０００１】
本発明は、映像信号及び音声信号を無線により送信する技術に関し、特に、オーディオビジュアル機器から入力された信号をＶＨＦ帯のテレビ放送用の電波に変換して出力する技術に関する。
【背景技術】
【０００２】
従来、オーディオビジュアル機器が出力する映像信号及び音声信号を、テレビ受信機が処理可能なＶＨＦ帯の電波に変換して出力する送信機がある。この送信機に関する技術として、例えば、特願２００６−２５８３４３号に記載のものがある。同文献に記載の送信機は、受信回路を用いて測定したＶＨＦ帯の各チャンネルの電界強度のうち、所定レベル以下の周波数チャンネルを空きチャンネルとして検出し、その空きチャンネルにより映像信号及び音声信号を送信する。
【０００３】
また、無線の空きチャンネルを検出する技術に関し、例えば、後述の特許文献１には、空中の妨害波を考慮して空きチャンネルを検出する技術が開示されている。この技術では、妨害波の電界強度が最も低くなる点（ヌル点）が空きチャンネルに適用される。
【特許文献１】特開２００３−１１０４７５号公報
【発明の開示】
【発明が解決しようとする課題】
【０００４】
ところで、テレビ放送用の電波塔の付近などは、放送電波の電界レベルが高いことから、他の無線通信の電波が届き難い環境と言える。上記特許文献１に記載の方法は、空きチャンネルにヌル点を用いるが、電波塔付近のような環境では適正なヌル点を検出し難い。なぜなら、強電界の環境で検出されたヌル点が、理想的な環境下でのヌル点のような十分に低い電界強度を表すとは限らないからである。よって、そのようなヌル点の空きチャンネルで映像信号や音声信号を送信した場合、信号にノイズが加わることにより、受信機での再生映像や音声に乱れが生じるおそれがある。
【０００５】
本発明は、上記課題に鑑みてなされたものであり、送信機から発信する電波がテレビ受信機に届き難い環境においても、送信機からの映像音声をテレビ受信機により良好に再生するための技術を提供することを目的とする。
【課題を解決するための手段】
【０００６】
本発明に係る映像音声送信システムは、ＶＨＦ通信用の第１のアンテナを具備する送信機と、前記送信機に接続されたＶＨＦ通信用の第２のアンテナと、ＶＨＦ通信を行うテレビ受信機とを備え、前記送信機は、前記第１又は第２のアンテナが受信した電波の電界強度をチャンネル単位で検知する受信回路と、外部機器から入力された映像信号および音声信号を送信チャンネルに対応したテレビ放送電波に変換して出力するＡＶ送信回路と、前記受信回路が検知した電界強度の中から最大値および最小値を検出し該最小値のチャンネルを前記送信チャンネルに割り当てる制御回路と、前記各アンテナと前記受信回路およびＡＶ送信回路との接続を前記制御回路の判定に従い切り換えるスイッチ群とを有し、前記制御回路は、前記最大値が閾値を下回るとき前記ＡＶ送信回路の出力を前記両アンテナのうちの一方から送信すると判定し、前記最大値が前記閾値を上回るとき前記ＡＶ送信回路の出力を前記両アンテナのうちの他方から送信すると判定する。
【発明の効果】
【０００７】
本発明によれば、２つのアンテナを利用可能な送信機が、受信電波をもとに測定した電界レベルと閾値との対比に基づいて、映像音声の送信チャンネルおよび送信用のアンテナを選択することから、周囲の電界環境に適した形態で電波を送信することができる。これにより、送信機からテレビ受信機に対し電波が届き難い環境であっても、テレビ受信機にてクリアな映像と音声を再生することができる。
【発明を実施するための最良の形態】
【０００８】
（第１の実施形態）
図１に、本発明の第１の実施形態のシステム構成を示す。映像音声送信システム100Aは、図１に示すように、オーディオビジュアル機器113から入力された映像信号及び音声信号をテレビ放送電波に変換して送信する送信機101Aと、テレビ放送電波を受信機用アンテナ105により受信して再生するテレビ受信機121とを備える。
【０００９】
送信機101Aは、ＶＨＦ帯の電波を送信または受信するための第１のアンテナ102及び第２のアンテナ104を備える。第１のアンテナ102は、図１では送信機101Aから露出するものであるが、内蔵アンテナとして送信機101A内に収納されるよう形成してもよい。他方の第２のアンテナ104は、第１のアンテナ102よりも、受信機用アンテナ105の近傍に配置されている。なお、図１に示す第２のアンテナ104は、外部アンテナコネクタ119により同軸ケーブル120を介して着脱可能に接続されているが、半田付けにより送信機101Aに固定してもよい。
【００１０】
また、送信機101Aは、受信回路103と、ＦＭ送信回路109と、ＡＶ送信回路110と、第１スイッチ107、第２スイッチ108及び第３スイッチ111のスイッチ群と、制御回路であるマイクロコントローラ106と、電源回路117と、操作スイッチ118とを備える。
【００１１】
受信回路103は、第１のアンテナ102又は第２のアンテナ104が受信した電波から、ＦＭ放送および地上波テレビ放送のチャンネル単位で電界強度を検知する。ＦＭ送信回路109は、オーディオビジュアル機器113からのR-ch音声信号114及びL-ch音声信号115をＦＭ変調して出力する。また、ＦＭ送信回路109は、ＡＶ送信回路110が用いるローカル周波数を生成する。ＡＶ送信回路110は、オーディオビジュアル機器113からのR-ch音声信号114及びL-ch音声信号115と映像信号116とをＶＨＦ帯のテレビ放送電波の周波数に変換して出力する。このＡＶ送信回路110の出力は増幅器112により増幅される。
【００１２】
第１スイッチ107は、第１のアンテナ102を第２スイッチ108又は第３スイッチ111に接続するよう切り換える。第２スイッチ108は、受信回路103及びＡＶ送信回路110と第１スイッチ107及び第２のアンテナ104との間の接続を切り換える。第３スイッチ111は、ＦＭ送信回路109を第１スイッチ107又はＡＶ送信回路110に接続するよう切り換える。これらスイッチ群の動作は、マイクロコントローラ106により制御される。
【００１３】
図２に、第２スイッチ108の内部構成を示す。スイッチ108Aは、第１スイッチ107及び受信回路103間の接続をＯＮ/ＯＦＦする。スイッチ108Bは、第１スイッチ107及び増幅器112間の接続をＯＮ/ＯＦＦする。スイッチ108Cは、増幅器112及び外部アンテナコネクタ119間の接続をＯＮ/ＯＦＦする。スイッチ108Dは、外部アンテナコネクタ119及び受信回路103間の接続をＯＮ/ＯＦＦする。
【００１４】
図３に示すフローチャートを参照して、本実施形態の動作について説明する。まず、ユーザが送信機101Aの使用目的に応じて操作スイッチ118を選択操作する。具体的には、ＦＭ放送を聴きたい場合、オーディオビジュアル機器113からのR-ch音声信号114及びL-ch音声信号115を送信機101AでＦＭ送信する「ＦＭ送信」を選択する。また、オーディオビジュアル機器113からの映像音声信号を送信機101Aで送信してテレビ受信機121で再生したい場合は、「映像音声送信」を選択する。
【００１５】
「ＦＭ送信」が選択された場合（ステップS301：「ＦＭ送信」）、マイクロコントローラ106は、第３スイッチ111を第１スイッチ107側に切り換えると共に（ステップS302）、第１スイッチ107を第３スイッチ111側に切り換える（ステップS303）。切り換えが完了すると、ＦＭ送信回路109が第１のアンテナ102によりＦＭ送信を開始する（ステップS304）。
【００１６】
「映像音声送信」が選択された場合（ステップS301：「映像音声送信」）、送信機101Aは、周辺環境のＶＨＦ帯の電界レベルを測定する。この測定のため、マイクロコントローラ106は、第１スイッチ107を第２スイッチ108側に切り換え（ステップS311）、第３スイッチ111をＡＶ送信回路110側に切り換える（ステップS312）。また、第２スイッチ108のうち、スイッチ108AをＯＮにし、他のスイッチ（108B,108C,108D）はＯＦＦにする（ステップS313）。これにより、受信回路103が第１のアンテナ102に接続される。
【００１７】
受信回路103は、第１のアンテナ102が受信したＶＨＦ帯の電波について、チャンネル単位で電界レベルを測定する。マイクロコントローラ106は、受信回路103の測定結果の中から、最大値及び最小値をとるチャンネルを検出する（ステップS314）。そして、検出した最小値のチャンネルを映像音声のための送信チャンネルに適用する（ステップS315）。
【００１８】
続いて、マイクロコントローラ106は、最大値の電界レベルが、予め設定された閾値以上であるか否かを判別する。最大値が閾値未満であった場合（ステップS316：No）、周囲の環境は弱電界、すなわち比較的良好に無線通信を実行できる環境であると判断する。この場合、第２スイッチ108のスイッチ108BをＯＮにし、他のスイッチ（108A,108C,108D）をＯＦＦにする（ステップS317）。これにより、ＡＶ送信回路110にてテレビ放送電波に変換された映像音声信号が、増幅器112にて増幅された後、第１のアンテナ102から送信される（ステップS318）。
【００１９】
一方、電界レベルの最大値が閾値を超える場合（ステップS316：Yes）、マイクロコントローラ106は、周囲の環境は強電界、すなわち無線通信がノイズなどの影響を受け易い環境であると判断する。この場合、第２スイッチ108のスイッチ108CをＯＮにし、他のスイッチ（108A,108B,108D）をＯＦＦにする（ステップS321）。これにより、ＡＶ送信回路110から出力された映像・音声信号が、同軸ケーブル120を介して、テレビ受信機121の近傍の第２のアンテナ104から送信される（ステップS322）。
【００２０】
第１の実施形態によれば、周囲が強電界である場合、送信機101Aが、テレビ受信機121の近傍に配置した第２のアンテナ104を用いて映像音声を送信するよう制御することから、テレビ受信機121は、強電界の環境下でもクリアな映像と音声を再生することができる。また、電界レベルの測定値をもとに判断した空きチャンネルおよび周囲の電界状況に応じて、送信用のアンテナを切り換えるので、微弱電波機器の規定を満足しつつ強電界で使用できる送信機を提供することができる。
【００２１】
（第２の実施形態）
図４に示すフローチャートを参照して、本発明の第２の実施形態について説明する。本実施形態のシステム構成は、図１に示すものと同様である。
【００２２】
ユーザの選択がＦＭ送信である場合（ステップS401：「ＦＭ送信」）、送信機101Aは、前述のステップS302〜S304（図３）と同様な処理Ａを実行する（ステップS402〜S404）。
【００２３】
映像音声送信が選択された場合（ステップS401：「映像音声送信」）、送信機101Aは、前述のステップS311〜S315（図３）と同様な処理Ｂを実行する（ステップS411〜S415）。これにより、映像音声のための送信チャンネルが決定される。送信機101Aは、電界レベルの測定結果の最大値が閾値以上である場合（ステップS416：Yes）、周囲の環境が強電界であると判断し、前述のステップS321〜S322（図３）と同様な処理Ｃ２を実行する（ステップS431〜S432）。これにより、第２のアンテナ104から映像音声の電波が送信される。
【００２４】
一方、電界レベルの最大値が閾値未満である場合（ステップS416：No）、送信機101Aは、周囲の環境が弱電界であると判断する。この場合、第２スイッチ108のスイッチ108A及びスイッチ108CをＯＦＦにし、スイッチ108B及びスイッチ108DをＯＮにする（ステップS417）。これにより、ＡＶ送信回路110から出力された映像音声信号が第１のアンテナ102から送信される（ステップS418）。
【００２５】
また、第２スイッチ108の上記切り換えにより、受信回路103が第２のアンテナ104に接続される。送信機101Aは、第１のアンテナ102から映像音声を送信する間、第２のアンテナ104が受信したＶＨＦ帯の電波について、チャンネル単位で電界レベルを測定する。そして、現行の送信チャンネルを除く測定結果の中から最大値を検出し（ステップS419）、その最大値が閾値以上であるか否かを判別する。
【００２６】
上記判定の結果、最大値が閾値を超えない場合（ステップS420：No）、送信機101Aは、周囲の環境は引き続き弱電界であると判断し、第１のアンテナ102から映像音声の送信を継続すると共に、第２のアンテナ104の受信電波について電界レベルの測定を継続する。
【００２７】
また、上記判定の結果、電界レベルの最大値が閾値を超える場合（ステップS420：Yes）、送信機101Aは、周囲の環境が弱電界から強電界に遷移したと判断する。この場合、送信機101Aは、第２スイッチ108のスイッチ108BをＯＮにし、他のスイッチ（108A,108C,108D）をＯＦＦにする（ステップS421）。これにより、映像音声信号を送信すべきアンテナが、第１のアンテナ102から、テレビ受信機121の近傍の第２のアンテナ104に変更される（ステップS422）。
【００２８】
第２の実施形態によれば、周囲の環境が弱電界から強電界へ変化したとき、第２のアンテナ104から映像音声を送信するよう制御することから、強電界の環境でも、テレビ受信機121が良好に映像音声を再生することができる。
【００２９】
（第３の実施形態）
図５に示すフローチャートを参照して、本発明の第３の実施形態について説明する。本実施形態のシステム構成は、図１に示すものと同様である。
【００３０】
ユーザの選択がＦＭ送信である場合（ステップS501：「ＦＭ送信」）、送信機101Aは、前述のステップS302〜S304（図３）と同様な処理Ａを実行する（ステップS502〜S504）。
【００３１】
また、映像音声送信が選択された場合（ステップS501：「映像音声送信」）、送信機101Aは、前述のステップS311〜S315（図３）と同様な処理Ｂを実行する（ステップS511〜S515）。これにより、映像音声のための送信チャンネルが決定される。
【００３２】
送信機101Aは、電界レベルの測定結果の最大値が閾値未満である場合（ステップS516：No）、周囲の環境が弱電界であると判断し、前述のステップS417〜S420（図４）と同様な処理Ｄ１を実行する（ステップS517〜S520）。処理Ｄ１により、第１のアンテナ102から映像音声が送信されると共に、第２のアンテナ104の受信電波について電界レベルの測定が行われる。
【００３３】
送信機101Aは、処理Ｄ１において、電界レベルの最大値が閾値を超える場合、周囲の環境が弱電界から強電界に遷移したと判断する。この場合、送信機101Aは、第２スイッチ108のスイッチ108A及びスイッチ108CをＯＮにし、スイッチ108B及びスイッチ108DをＯＦＦにする（ステップS521）。これにより、映像音声信号を送信すべきアンテナが、第１のアンテナ102から、テレビ受信機121の近傍の第２のアンテナ104に変更される（ステップS522）。
【００３４】
送信機101Aは、第２のアンテナ104から映像音声を送信する間、第１のアンテナ102が受信したＶＨＦ帯の電波について、チャンネル単位で電界レベルを測定する。そして、現行の送信チャンネルの電界レベルを除く測定結果の中から最大値を検出し（ステップS523）、検出した値が閾値以上であるか否かを判別する。
【００３５】
上記判定の結果、最大値が閾値を超えない場合（ステップS524：No）、送信機101Aは、周囲の環境は強電界から弱電界に遷移したと判断し、上記処理Ｄ１を実行する（ステップS517〜S520）。これにより、映像音声信号を送信すべきアンテナが、第２のアンテナ104から第１のアンテナ102に変更される。
【００３６】
また、第１のアンテナ102の受信電波の最大電界レベルが閾値を超える場合（ステップS524：Yes）、送信機101Aは、周囲の環境が引き続き強電界であると判断し、第２のアンテナ104から映像音声の送信を継続すると共に、第１のアンテナ102の受信電波について電界レベルの測定を継続する。
【００３７】
第３の実施形態によれば、一方のアンテナで映像音声を送信する間、他方のアンテナで電波を受信して周囲の電界レベルをチェックすることから、電界レベルの変化が頻繁に生じる環境であっても、それらの変化に適切に対処することができる。
【００３８】
（第４の実施形態）
図６に示すフローチャートを参照して、本発明の第４の実施形態について説明する。本実施形態のシステム構成は、図１に示すものと同様である。本実施形態は、ＦＭ送信回路109が出力する音声信号を用いて電界レベルの測定を行う。
【００３９】
ユーザの選択がＦＭ送信である場合（ステップS601：「ＦＭ送信」）、送信機101Aは、前述のステップS302〜S304（図３）と同様な処理Ａを実行する（ステップS602〜S604）。
【００４０】
送信機101Aは、映像音声送信が選択された場合（ステップS601：「映像音声送信」）、第１スイッチ107を第３スイッチ111側に切り換えると共に、第３スイッチ111を第１スイッチ107側に切り換える（ステップS611,612）。これにより、ＦＭ送信回路109が第１スイッチ107に接続される。また、送信機101Aは、第２スイッチ108において、スイッチ108DをＯＮにし、他のスイッチ（108A,108B,108C）をＯＦＦにする。これにより、受信回路103が第２のアンテナ104に接続される。
【００４１】
上記の接続により、ＦＭ送信回路109の出力が第１のアンテナ102から送信される（ステップS614）。このときＦＭ送信回路109が出力する信号は、周辺環境の電界レベルをチェックするためのものであり、具体的には、テレビ放送電波の各チャンネルに対応した音声信号である。この音声信号を出力するにあたっては、例えば、ＦＭ送信回路109が、発振回路（図示略）から供給される１ｋＨｚ程度の基準信号をもとに、各チャンネル周波数の音声信号を生成すればよい。チャンネル周波数の情報や音声信号の出力タイミング等は、マイクロコントローラ106から供給する。
【００４２】
また、ＦＭ送信回路109が音声信号を出力する方法としては、上記のものに替えて、オーディオビジュアル機器113から供給される音声信号（114,115）を用いてもよい。この場合、ユーザ操作によりオーディオビジュアル機器113から音声信号を出力し、その音声信号を受けたＦＭ送信回路109が、テレビ放送電波のチャンネル単位で音声信号を出力する。すなわち、オーディオビジュアル機器113からの入力を契機に、ＦＭ送信回路109が音声信号を出力する。
【００４３】
送信機101Aは、上記のような方法でＦＭ送信回路109が出力した音声信号を第１のアンテナ102から送信する間、第２のアンテナ104で電波を受信する。そして、受信電波から電界レベルの最大値及び最小値を検出し（ステップS615）、最小電界レベルのチャンネルを送信チャンネルに適用する（ステップS616）。送信チャンネルが決定すると、送信機101Aは、第３スイッチ111をＡＶ送信回路110側へ切り換える（ステップS617）。
【００４４】
続いて、送信機101Aは、第２のアンテナ104の受信電波から検出した最大電界レベルが閾値以上か否かを判定する。その結果、最大電界レベルが閾値未満の場合（ステップS618：No）、送信機101Aから発信する電波がテレビ受信機121に届き難い環境であると判断する。この場合、送信機101Aは前述の処理Ｃ２（図３）を実行する（ステップS619〜S620）。これにより、映像音声の電波が、テレビ受信機121近傍の第２のアンテナ104から送信される。
【００４５】
また、第２のアンテナ104の受信電波の最大電界レベルが閾値以上である場合（ステップS618：Yes）、送信機101Aは、送信機101Aから発信する電波がテレビ受信機121に届きやすい環境であると判断する。この場合、送信機101Aは、前述のステップS317〜S318（図３）と同様な処理Ｃ１を実行する（ステップS631〜S632）。これにより、映像音声信号が、第１のアンテナ102から送信される。
【００４６】
第４の実施形態によれば、電界レベルの測定に、ＦＭ送信回路109により出力した音声信号を用いることから、ＶＨＦ帯のテレビ放送を受信し難い環境でも、受信環境の測定を行うことができる。
【００４７】
（第５の実施形態）
図７に、本発明の第５の実施形態のシステム構成を示す。本構成は、前述の実施形態の構成（図１）にアンテナ検出回路122を付加したものと同等である。アンテナ検出回路122は、図７に示すように、外部アンテナコネクタ119と第２スイッチ108との間に挿入された回路である。送信機101Bは、アンテナ検出回路122により、送信機101Bに第２のアンテナ104が接続されているか否かを検出する。
【００４８】
図８に示すフローチャートを参照して、本実施形態の動作を説明する。本実施形態の動作は、前述の第１の実施形態の動作（図３）に、第２のアンテナ104の接続状況に応じた制御を加味したものである。
【００４９】
送信機101Bは、ユーザの選択がＦＭ送信である場合（ステップS901：「ＦＭ送信」）、前述のステップS302〜S304（図３）と同様な処理Ａを実行する（ステップS902〜S904）。また、映像音声送信が選択された場合（ステップS901：「映像音声送信」）、送信機101Bは、前述のステップS311〜S315（図３）と同様な処理Ｂを実行する（ステップS911〜S915）。これにより、映像音声のための送信チャンネルが決定される。
【００５０】
続いて、送信機101Bは、電界レベルの測定結果の最大値が閾値未満である場合（ステップS916：No）、周囲の環境が弱電界であると判断し、前述のステップS317〜S318（図３）と同様な処理Ｃ１を実行する（ステップS917〜S918）。これにより、映像音声の電波が第１のアンテナ102から送信される。
【００５１】
一方、電界レベルの測定結果の最大値が閾値以上である場合（ステップS916：Yes）、送信機101Bは、周囲の環境が強電界であると判断する。このとき、送信機101Bは、アンテナ検出回路122により、自機に第２のアンテナ104が接続されているか否かを判断する。その結果、第２のアンテナ104が接続されていない場合は（ステップS921：No）、第１のアンテナ102により映像音声を送信する処理Ｃ１を実行する。
【００５２】
また、強電界の環境において自機に第２のアンテナ104が接続されている場合（ステップS921：Yes）、送信機101Bは、前述のステップS321〜S322（図３）と同様な処理Ｃ２を実行する（ステップS922〜S923）。これにより、映像音声の電波が第２のアンテナ104から送信される。
【００５３】
第５の実施形態によれば、映像音声を送信するに先立ち、第２のアンテナ104の接続状況を検出することから、第２のアンテナ104が未接続であっても映像音声を送信することができる。
【００５４】
（第６の実施形態）
図９に示すフローチャートを参照して、本発明の第６の実施形態について説明する。本実施形態のシステム構成は、図７に示すものと同様である。本実施形態の動作は、前述の第２の実施形態の動作（図４）に、第２のアンテナ104の接続状況に応じた制御を加味したものである。
【００５５】
送信機101Bは、ユーザの選択がＦＭ送信である場合（ステップS1001：「ＦＭ送信」）、前述のステップS302〜S304（図３）と同様な処理Ａを実行する（ステップS1002〜S1004）。また、映像音声送信が選択された場合（ステップS1001：「映像音声送信」）、送信機101Bは、前述のステップS311〜S315（図３）と同様な処理Ｂを実行する（ステップS1011〜S1015）。これにより、映像音声のための送信チャンネルが決定される。
【００５６】
続いて、送信機101Bは、自機に第２のアンテナ104が接続されているか否かを判断し、接続されていない場合は（ステップS1016：No）、第１のアンテナ102により映像音声を送信する処理Ｃ１（図３）を実行する（ステップS1041〜S1042）。
【００５７】
また、送信機101Bに第２のアンテナ104が接続されている場合（ステップS1016：Yes）、送信機101Bは、電界レベルの測定結果の最大値が閾値以上か否かを判定する。その結果、最大電界レベルが閾値未満である場合（ステップS1017：No）、送信機101Bは、周囲の環境が弱電界であると判断し、前述のステップS417〜S422（図４）と同様な処理Ｄ２を実行する（ステップS1018〜S1023）。これにより、映像音声の電波が第１のアンテナ102から送信され、その後、周囲の環境が弱電界から強電界に遷移した場合は、第２のアンテナ104により映像音声が送信される。
【００５８】
さらにまた、最大電界レベルが閾値以上である場合（ステップS1017：Yes）、送信機101Bは、周囲の環境が強電界であると判断し、前述のステップS321〜S322（図３）と同様な処理Ｃ２を実行する（ステップS1031〜S1032）。これにより、映像音声の電波が第２のアンテナ104から送信される。
【００５９】
第６の実施形態によれば、前述の第５の実施形態と同様な効果が得られる。
【００６０】
（第７の実施形態）
図１０に示すフローチャートを参照して、本発明の第７の実施形態について説明する。本実施形態のシステム構成は、図７に示すものと同様である。本実施形態の動作は、前述の第３の実施形態の動作（図５）に、第２のアンテナ104の接続状況に応じた制御を加味したものである。
【００６１】
送信機101Bは、ユーザの選択がＦＭ送信である場合（ステップS1101：「ＦＭ送信」）、前述のステップS302〜S304（図３）と同様な処理Ａを実行する（ステップS1102〜S1104）。また、映像音声送信が選択された場合（ステップS1101：「映像音声送信」）、送信機101Bは、前述のステップS311〜S315（図３）と同様な処理Ｂを実行する（ステップS1111〜S1115）。これにより、映像音声のための送信チャンネルが決定される。
【００６２】
続いて、送信機101Bは、自機に第２のアンテナ104が接続されているか否かを判断し、接続されていない場合は（ステップS1116：No）、第１のアンテナ102により映像音声を送信する処理Ｃ１（図３）を実行する（ステップS1131〜S1132）。
【００６３】
また、送信機101Bに第２のアンテナ104が接続されている場合（ステップS1116：Yes）、送信機101Bは、映像音声の送信に用いるアンテナ（102,104）を周囲の電界レベルに応じて切り換える前述のステップS516〜S524（図５）と同様な処理Ｄ３を実行する（ステップS1118〜S1125）。
【００６４】
第７の実施形態によれば、前述の第５の実施形態と同様な効果が得られる。
【００６５】
（第８の実施形態）
図１１に示すフローチャートを参照して、本発明の第８の実施形態について説明する。本実施形態のシステム構成は、図７に示すものと同様である。本実施形態の動作は、前述の第４の実施形態の動作（図６）に、第２のアンテナ104の接続状況に応じた制御を加味したものである。
【００６６】
送信機101Bは、ユーザの選択がＦＭ送信である場合（ステップS1201：「ＦＭ送信」）、前述のステップS302〜S304（図３）と同様な処理Ａを実行する（ステップS1202〜S1204）。また、映像音声送信が選択された場合（ステップS1201：「映像音声送信」）、送信機101Bは、自機に第２のアンテナ104が接続されているか否かを判断する。
【００６７】
送信機101Bに第２のアンテナ104が接続されていない場合（ステップS1211：No）、送信機101Bは、第１のアンテナ102により受信した電波を用いて映像音声の送信チャンネルを決定する処理Ｂ（図３）を実行する（ステップS1231〜S1235）。また、送信機101Bに第２のアンテナ104が接続されている場合は（ステップS1211：Yes）、第１のアンテナ102から送信され且つ第２のアンテナ104で受信された測定用の音声信号を用いて送信チャンネルを決定する前述のステップS611〜S617と同様な処理Ｅを実行する（ステップS1212〜S1218）。
【００６８】
送信機101Bは、電界レベルの測定結果の最大値が閾値以上か否かを判定する。その結果、また、最大電界レベルが閾値未満である場合（ステップS1219：No）、送信機101Bは、送信機101Aから発信する電波がテレビ受信機121に届きやすい環境であると判断し、前述の処理Ｃ２（図３）を実行する（ステップS1220〜S1221）。これにより、映像音声の電波が第１のアンテナ102から送信される。
【００６９】
また、最大電界レベルが閾値以上である場合（ステップS1219：Yes）、送信機101Bは、送信機101Bからの電波がテレビ受信機121に届き難い環境であると判断し、前述の処理Ｃ１（図３）を実行する（ステップS1236〜S1237）。これにより、映像音声の電波が第２のアンテナ104から送信される。
【００７０】
第８の実施形態によれば、前述の第５の実施形態と同様な効果が得られる。
【００７１】
なお、図７に示す送信機101Bの構成に、第２のアンテナ104の接続状態をユーザに報知するための手段を付加してもよい。この手段としては、例えば、発光ダイオード（LED：Light Emitting Diode）、あるいは、液晶ディスプレイ（LCD：Liquid Crystal Display）及びＥＬ（Electro Luminescence）ディスプレイのような表示機器、もしくは、ブザーのような音響機器とすることができる。
【００７２】
上記各実施形態では、テレビ受信機121が送信機（101A,101B）からの電波をより良好に受信できるようにすることを目的として、第２のアンテナ104をテレビ受信機121の近傍に配置したが、上記目的のためには、その他の方法を用いてもよい。
【００７３】
その他の方法としては、例えば、映像音声を第２のアンテナ（104）から送信する場合に、第１のアンテナ（102）からの送信時よりも、出力レベル（振幅）を大きくするよう制御回路（106）が増幅器（112）を制御する。このとき、予め送信機に規定されている微弱電波の出力レベルの範囲内で制御する。増幅器としては、増幅率を変更できる構成のものを搭載する。この方法によれば、必ずしも第２のアンテナをテレビ受信機の近傍に配置しなくてもよい。
【００７４】
また、第２のアンテナが送信機に接続されておらず、且つ、強電界の環境下で第１のアンテナから映像音声を送信する場合、その出力レベルを弱電界時のものよりも大きくするよう制御するという方法を採用してもよい。
【００７５】
上記の何れの方法であっても、強電界の環境下で送信機から送信された電波をテレビ受信機が受信し易くなる。
【００７６】
上記各実施形態におけるオーディオビジュアル機器113としては、携帯電話機、ＰＨＳ（登録商標）、ＰＤＡ（個人向け携帯型情報通信機器）、ＰＣ（Personal Computer）、ビデオプレーヤ、ビデオレコーダ、ＤＶＤプレーヤ／レコーダ、マルチメディアプレーヤ等の機器を用いることができる。
【図面の簡単な説明】
【００７７】
【図１】本発明の第１乃至第４の実施形態のシステム構成を示すブロック図である。
【図２】本発明の実施形態における第２スイッチの構成図である。
【図３】本発明の第１の実施形態における送信機の動作を示すフローチャートである。
【図４】本発明の第２の実施形態における送信機の動作を示すフローチャートである。
【図５】本発明の第３の実施形態における送信機の動作を示すフローチャートである。
【図６】本発明の第４の実施形態における送信機の動作を示すフローチャートである。
【図７】本発明の第５乃至第８の実施形態のシステム構成を示すブロック図である。
【図８】本発明の第５の実施形態における送信機の動作を示すフローチャートである。
【図９】本発明の第６の実施形態における送信機の動作を示すフローチャートである。
【図１０】本発明の第７の実施形態における送信機の動作を示すフローチャートである。
【図１１】本発明の第８の実施形態における送信機の動作を示すフローチャートである。
【符号の説明】
【００７８】
100A,100B  システム
101：送信機、102：第１のアンテナ、103：受信回路、104：第２のアンテナ、105：受信機用アンテナ、106：マイクロコントローラ、107：第１スイッチ、108：第２スイッチ、108A/108B/108C/108D：スイッチ、109：ＦＭ送信回路、110：ＡＶ送信回路、111：第３スイッチ、112：増幅器、113：オーディオビジュアル機器、114：R-ch音声信号、115：L-ch音声信号、116：映像信号、117：電源回路、118：操作スイッチ、119：外部アンテナコネクタ、120：同軸ケーブル、121：テレビ受信機、122：アンテナ検出回路
【図１】
2008259106.tif 000003
【図２】
2008259106.tif 000004
【図３】
2008259106.tif 000005
【図４】
2008259106.tif 000006
【図５】
2008259106.tif 000007
【図６】
2008259106.tif 000008
【図７】
2008259106.tif 000009
【図８】
2008259106.tif 000010
【図９】
2008259106.tif 000011
【図１０】
2008259106.tif 000012
【図１１】
2008259106.tif 000013